(57)【要約】【課題】  水の跳ね上がりを確実に防止することができ、かつ排水口から流れ出ることを確実に防止することができると共に、溜め水内で反転をスムーズに繰り返すことによって便の付着残留を防止し、これにより、匂いが外部へ発散することを防止もしくは大幅に抑制することができる洋式水洗便器用跳ね水防止具の提供。【解決手段】  本体部１が洋式水洗便器２の溜め水３内においてその水面に浮遊可能な浮力を有していて溜め水３の下部に設けられた排水口４より大径でかつ所定の厚みを有する略円形板状に形成され、本体部１には表裏方向に貫通する５個の貫通穴１１が形成され、本体部１外周の表裏両縁部、各貫通穴１１の表裏両開口縁部および切欠部１２の表裏両開口縁部が面取り状テーパー面１ａ，１１ａ，１２ａに形成されることにより本体部１が表裏対象に形成されている。【選択図】      図１
2005248594.tif 000002
【特許請求の範囲】
【請求項１】
本体部が洋式水洗便器の溜め水内においてその水面に浮遊可能な浮力を有していて溜め水下部に設けられた排水口より大径でかつ所定の厚みを有する略円形板状に形成され、
前記本体部には表裏方向に貫通する貫通穴が複数形成され、
前記本体部外周の表裏両縁部および前記各貫通穴の表裏両開口縁部が面取り状テーパー面に形成されることにより前記本体部が表裏対象に形成されていることを特徴とする洋式水洗便器用跳ね水防止具。
【請求項２】
請求項１に記載の洋式水洗便器用跳ね水防止具において、前記本体部の直径が前記洋式水洗便器における溜め水水面の幅方向長さの７０〜８０％の範囲内に設定されていることを特徴とする洋式水洗便器用跳ね水防止具。
【請求項３】
請求項１または２に記載の洋式水洗便器用跳ね水防止具において、前記本体部の外表面が親水性を有していることを特徴とする洋式水洗便器用跳ね水防止具。
【請求項４】
請求項１〜３のいずれか１項に記載の洋式水洗便器用跳ね水防止具において、前記複数の貫通穴が前記本体部の周方向等間隔のもとに配置されていることを特徴とする洋式水洗便器用跳ね水防止具。
【請求項５】
請求項１〜４のいずれか１項に記載の洋式水洗便器用跳ね水防止具において、前記複数の貫通穴の開口面積合計が本体部表面積の４０〜６０％の範囲内に設定されていることを特徴とする洋式水洗便器用跳ね水防止具。
【請求項６】
請求項１〜５のいずれか１項に記載の洋式水洗便器用跳ね水防止具において、前記本体部の外周縁部に所定間隔のもとに突出部または切欠部が複数形成されていることを特徴とする洋式水洗便器用跳ね水防止具。
【請求項７】
請求項１〜６のいずれか１項に記載の洋式水洗便器用跳ね水防止具において、前記貫通穴が少なくとも前記本体部の中心部に形成され、
前記本体部が表裏２分割状態に形成されていて、該表裏両分割体の対向面で中心部に形成された前記貫通穴の外周を囲む状態で水中に溶け出す着色芳香剤等の機能剤を収容する空間が形成され、
前記貫通穴の内周面に前記空間内に収容された前記機能剤が貫通穴内に流出可能な開口部が形成されていることを特徴とする洋式水洗便器用跳ね水防止具。
【請求項８】
請求項１〜６のいずれか１項に記載の洋式水洗便器用跳ね水防止具において、前記本体部がポリカーボネートで構成されていることを特徴とする洋式水洗便器用跳ね水防止具。
【請求項９】
請求項１〜７のいずれか１項に記載の洋式水洗便器用跳ね水防止具において、前記本体部が金型成形により中空状に形成されていることを特徴とする洋式水洗便器用跳ね水防止具。
【発明の詳細な説明】
【技術分野】
【０００１】
本発明は、洋式水洗便器用跳ね水防止具に関する。
【背景技術】
【０００２】
従来のこの種の洋式水洗便器用跳ね水防止具としては、図１０〜１２に示すように、水洗便器１００の溜め水１０２上に浮遊させ得る大きさでハート型のスポンジまたは不織布製のマット（本体部）１０３とし、その中央凹部１０４に芳香剤１０５を、また、その外周数箇所の凹部１０６に活性炭１０７を充填してなる構造のものが知られている（例えば、特許文献１参照。）。
【０００３】
【特許文献１】実用新案登録第３０１６２２５号
【発明の開示】
【発明が解決しようとする課題】
【０００４】
しかしながら、従来例の洋式水洗便器用跳ね水防止具は、以下に列挙するような問題点があった。
即ち、従来例の本体部１０３はハート型であり、かつ貫通穴のない板状であったため、この本体部１０３上に便が落下しても反転することがなく、このため、便が外気に触れた状態で残ることになる。従って、便の匂いが外部に発散し、トイレ内が臭くなる。
【０００５】
また、芳香剤１０５を収容する凹部１０４と活性炭１０７を収容する３つの凹部１０６とが、本体部１０３の一方の面に集中して形成されることにより、本体部１０３における表裏方向の重量バランスが崩れた状態となっているため、本体部１０３の回転がよりしにくい状態となる。
【０００６】
また、芳香剤１０５の量が減少すると本体部１０３の中央部に窪みができ、この窪みに便が付着残留し易くなる。
また、本体部１０３の外周面が本体部１０３の表裏両面とは直交する平面に形成されているため、本体部１０３の上面側に水が乗りにくく、このため、本体部１０３に対して便が付着残留し易くなる。
【０００７】
また、従来例の公報では、排水後においても、本体部１０３は浮力によって流されることがないとされているが、マンション等においては、風が強い日に、室内と室外との気圧の差によって、水洗便器１００内の溜め水１０２が外部に吸い出されてなくなることがあるため、浮力があるだけでは本体部１０３の流出を防止することはできない。そして、従来例では、本体部１０３の大きさについて何らの指定がなく、図面（図１２）から見ても極めて小さいため、排水口から流れ出てしまう虞があると共に、本体部１０３が溜め水１０２の外周側にある時には、便が本体部１０３上に落下せずに溜め水１０２に直接落下するため、水の跳ね返りを防止することができなくなる。
【０００８】
本発明の解決しようとする課題は、水の跳ね上がりを確実に防止することができ、かつ排水口から流れ出ることを確実に防止することができると共に、溜め水内で反転をスムーズに繰り返すことによって便の付着残留を防止し、これにより、匂いが外部へ発散することを防止もしくは大幅に抑制することができる洋式水洗便器用跳ね水防止具を提供することにある。
【課題を解決するための手段】
【０００９】
上記課題を解決するため請求項１記載の洋式水洗便器用跳ね水防止具は、本体部が洋式水洗便器の溜め水内においてその水面に浮遊可能な浮力を有していて溜め水下部に設けられた排水口より大径でかつ所定の厚みを有する略円形板状に形成され、前記本体部には表裏方向に貫通する貫通穴が複数形成され、前記本体部外周の表裏両縁部および前記各貫通穴の表裏両開口縁部が面取り状テーパー面に形成されることにより前記本体部が表裏対象に形成されていることを特徴とする手段とした。
【００１０】
請求項２記載の洋式水洗便器用跳ね水防止具は、請求項１に記載の洋式水洗便器用跳ね水防止具において、前記本体部の直径が前記洋式水洗便器における溜め水水面の幅方向長さの７０〜８０％の範囲内に設定されていることを特徴とする手段とした。
【００１１】
請求項３記載の洋式水洗便器用跳ね水防止具は、請求項１または２に記載の洋式水洗便器用跳ね水防止具において、前記本体部の外表面が親水性を有していることを特徴とする手段とした。
【００１２】
請求項４記載の洋式水洗便器用跳ね水防止具は、請求項１〜３のいずれか１項に記載の洋式水洗便器用跳ね水防止具において、前記複数の貫通穴が前記本体部の周方向等間隔のもとに配置されていることを特徴とする手段とした。
【００１３】
請求項５記載の洋式水洗便器用跳ね水防止具は、請求項１〜４のいずれか１項に記載の洋式水洗便器用跳ね水防止具において、前記複数の貫通穴の開口面積合計が本体部表面積の４０〜６０％の範囲内に設定されていることを特徴とする手段とした。
【００１４】
請求項６記載の洋式水洗便器用跳ね水防止具は、請求項１〜５のいずれか１項に記載の洋式水洗便器用跳ね水防止具において、前記本体部の外周縁部に所定間隔のもとに突出部または切欠部が複数形成されていることを特徴とする手段とした。
【００１５】
請求項７記載の洋式水洗便器用跳ね水防止具は、請求項１〜６のいずれか１項に記載の洋式水洗便器用跳ね水防止具において、前記貫通穴が少なくとも前記本体部の中心部に形成され、前記本体部が表裏２分割状態に形成されていて、該表裏両分割体の対向面で中心部に形成された前記貫通穴の外周を囲む状態で水中に溶け出す着色芳香剤等の機能剤を収容する空間が形成され、前記貫通穴の内周面に前記空間内に収容された前記機能剤が貫通穴内に流出可能な開口部が形成されていることを特徴とする手段とした。
【００１６】
請求項８記載の洋式水洗便器用跳ね水防止具は、請求項１〜６のいずれか１項に記載の洋式水洗便器用跳ね水防止具において、前記本体部がポリカーボネートで構成されていることを特徴とする手段とした。
【００１７】
請求項９記載の洋式水洗便器用跳ね水防止具は、請求項１〜７のいずれか１項に記載の洋式水洗便器用跳ね水防止具において、前記本体部が金型成形により中空状に形成されていることを特徴とする手段とした。
【発明の効果】
【００１８】
請求項１記載の洋式水洗便器用跳ね水防止具では、上述のように構成されるため、以下に列挙する効果が得られる。
即ち、所定の厚みを有する略円形板状の本体部が洋式水洗便器の溜め水内においてその浮力により水面に浮遊した状態となっているため、便が溜め水に落ちる際にまず便が本体部上に落下するため、水の跳ね上がりを確実に防止することができるようになる。
【００１９】
また、前記本体部には表裏方向に貫通する貫通穴が複数形成されているため、便が本体部上に落下することによって、該本体部が容易に反転し、これにより、便を直ちに溜め水内に落下させることができる。従って、便が外気に触れる状態で残らないか、もし仮に本体部の表面に便の一部が付着した状態で残ったとしても、複数の貫通穴が形成されることにより、その残りの表面積が少なくなるため、匂いが外部へ発散することを防止もしくは大幅に抑制することができるようになるという効果が得られる。
【００２０】
また、本体部に複数の貫通穴が形成されることにより、本体部を水面すれすれに浮かせることが可能になり、これにより、本体部の上面側に水が乗り易くなるため、本体部外面への便の付着残留を防止することができるようになる。
また、前記本体部が表裏対象に形成されることにより、該本体部の反転をスムーズに繰り返すことができるようになる。
【００２１】
また、前記本体部における前記切欠部を含む外周の表裏両縁部および前記各貫通穴の表裏両開口縁部が面取り状テーパー面に形成されることにより、本体部の上面側に水が乗り易くなるため、本体部外面への便の付着残留を防止することができるようになる。
また、本体部が溜め水下部に設けられた排水口より大径の略円形板状に形成されることにより、排水口から流れ出ることを確実に防止できるようになる。
【００２２】
請求項２記載の洋式水洗便器用跳ね水防止具では、上述のように、前記本体部の直径が前記洋式水洗便器における溜め水水面の幅方向長さの７０〜８０％の範囲内に設定されることにより、本体部の反転を可能にしつつ、便を確実に受け止めることができるようになる。
【００２３】
請求項３記載の洋式水洗便器用跳ね水防止具では、上述のように、前記本体部の外表面が親水性を有している構成とすることにより、本体部の上面側に水が乗り易くなるため、本体部外面への便の付着残留防止効果を高めることができるようになる。
【００２４】
請求項４記載の洋式水洗便器用跳ね水防止具では、上述のように、複数の貫通穴が前記本体部の周方向等間隔のもとに配置されることにより、どのような位置にあっても本体部を均等かつ確実に反転させることができるようになる。
【００２５】
請求項５記載の洋式水洗便器用跳ね水防止具では、上述のように、前記複数の貫通穴の開口面積合計が本体部表面積の４０〜６０％の範囲内に設定されることにより、本体部の強度を維持しつつ、浮力を少なくして本体部を水面すれすれに位置させ、これにより、本体部の上面に水が乗り易くすることができるようになる。
【００２６】
請求項６記載の洋式水洗便器用跳ね水防止具では、上述のように、前記本体部の外周縁部に所定間隔のもとに突出部または切欠部が複数形成されている構成としたため、洗浄水の排水時において水流を突出部または切欠部が受けることによって、本体部を水面に沿って回転させ易くすることができるようになり、これにより、本体部に付着した便やペーパーを効率的に除去させることができるようになる。
【００２７】
請求項７記載の洋式水洗便器用跳ね水防止具では、上述のように、前記貫通穴が少なくとも前記本体部の中心部に形成され、前記本体部が表裏２分割状態に形成されていて、該表裏両分割体の対向面で中心部に形成された前記貫通穴の外周を囲む状態で水中に溶け出す着色芳香剤等の機能剤を収容する空間が形成され、前記貫通穴の内周面に前記空間内に収容された前記機能剤が貫通穴内に流出可能な開口部が形成されている構成とすることにより、表裏対象形状を常に維持しつつ、機能剤を組み込むことが可能となる。
【００２８】
請求項８記載の洋式水洗便器用跳ね水防止具では、上述のように、前記本体部がポリカーボネートで構成されることにより、本体部の割れが防止され、これにより、割れた破片による排水口の詰まりを防止することができるようになる。
【００２９】
請求項９記載の洋式水洗便器用跳ね水防止具では、上述のように、前記本体部が金型成形により中空状に形成されることにより、中空部に機能剤等を収容することができるようになる。
【発明を実施するための最良の形態】
【００３０】
以下にこの発明の実施例を図面に基づいて説明する。
【実施例１】
【００３１】
この実施例１の洋式水洗便器用跳ね水防止具は、請求項１〜６、８に記載の発明に対応する。
まず、この実施例１の洋式水洗便器用跳ね水防止具を図面に基づいて説明する。
【００３２】
図１はこの実施例１の洋式水洗便器用跳ね水防止具を示す平面図、図２は同正面図、図３は図１のＡ−Ａ線における縦断面図、図４は図１のＢ−Ｂ線における縦断面図、図５は使用状態を示す平面図、図６は図５における中央縦断面図である。
【００３３】
この実施例の洋式水洗便器用跳ね水防止具は、その本体部１が洋式水洗便器２の溜め水３内においてその水面に浮遊可能な浮力を有するポリカーボネートの円形板で構成されていて、所定の厚み（２〜５ｍｍ程度の厚み）を有する略円形板状に形成されている。
【００３４】
そして、前記本体部１には表裏方向に貫通する貫通穴１１が複数形成されている。即ち、この実施例１では、中央部に１個と、外周部に周方向等間隔のもとに４個の合計５個の貫通穴１１が形成されている。
また、前記本体部１の外周縁部には、外周側の隣接する両貫通穴１１−１１相互間にそれぞれ半円状切欠部１２が形成されている。
【００３５】
また、前記本体部１における半円状切欠部１２を含む外周の表裏両縁部および各貫通穴１１の表裏両開口縁部が面取り状テーパー面１ａ，１１ａ，１２ａに形成されることにより、本体部１が表裏対象に形成されている。
【００３６】
また、前記本体部１は、その外径が洋式水洗便器２の溜め水３下部に設けられた排水口４より大径で、かつ、溜め水３の水面の幅方向長さの７０〜８０％の範囲内に設定されている。これは、溜め水３の水面形状が、その幅方向より前後方向の長さの方が長い略卵状に形成されているため、８０％以上になると本体部１の反転がし難くなり、また、７０％以下になると本体部１が水面の長手方向である前方に移動している時に便が本体部１上に落下せずに溜め水３に直接落下する虞があるからである。
【００３７】
また、前記本体部１の外表面が親水性を有するように加工されることにより、本体部１の上面に水が乗りやすくなるように構成されている。
また、５個の貫通穴１１の開口面積合計が、本体部１における表面積の４０〜６０％の範囲内になるように設定されることにより、浮力を少なくして本体部１を水面すれすれに位置させ、これにより、本体部１の上面に水が乗り易くなるようにしている。
【００３８】
次に、この実施例１の作用・効果を説明する。
この実施例１では上述のように構成されるため、図５，６に示すように、本体部１を洋式水洗便器２の溜め水３に投入すると、該本体部１が溜め水３内においてその浮力により水面すれすれに浮遊した状態となっているため、便が溜め水３に落ちる際にまず便が本体部１上に落下するため、水の跳ね上がりを確実に防止することができるようになるという効果が得られる。
【００３９】
また、前記本体部１には表裏方向に貫通する貫通穴１１が５個形成されているため、便が本体部１上に落下することによって、該本体部１が容易に反転し、これにより、便を直ちに溜め水３内に落下させることができる。
従って、便が外気に触れる状態で残らないか、もし仮に本体部１の表面に便の一部が付着した状態で残ったとしても、複数の貫通穴１１が形成されることにより、その残りの表面積が少なくなるため、匂いが外部へ発散することを防止もしくは大幅に抑制することができるようになるという効果が得られる。
【００４０】
また、前記本体部１に複数の貫通穴１１が形成されることにより、浮力を少なくして本体部１を水面すれすれに浮かせることが可能になり、これにより、本体部１の上面側に水が乗り易くなるため、本体部１外面への便の付着残留を防止することができるようになる。
また、前記本体部１が表裏対象に形成されることにより、該本体部１の反転をスムーズに繰り返すことができるようになる。
【００４１】
また、前記本体部１における半円状切欠部１２を含む外周の表裏両縁部および各貫通穴１１の表裏両開口縁部が面取り状テーパー面１ａ，１１ａ，１２ａに形成されることにより、本体部１の上面側に水が乗り易くなるため、本体部１外面への便の付着残留を防止することができるようになる。
また、前記本体部１が溜め水３の下部に設けられた排水口４より大径の略円形板状に形成されることにより、排水口４から流れ出ることを確実に防止できるようになる。
【００４２】
また、前記本体部１の直径が洋式水洗便器２における溜め水３水面の幅方向長さの７０〜８０％の範囲内に設定されることにより、本体部１の反転を可能にしつつ、便を確実に受け止めることができるようになる。
【００４３】
また、前記本体部１の外表面が親水性を有している構成とすることにより、本体部１の上面側に水が乗り易くなるため、本体部１外面への便の付着残留防止効果を高めることができるようになる。
【００４４】
また、複数の貫通穴１１が本体部１の周方向等間隔のもとに配置されることにより、どのような位置にあっても本体部１を均等かつ確実に反転させることができるようになる。
【００４５】
また、複数の貫通穴１１の開口面積合計が本体部表面積の４０〜６０％の範囲内に設定されることにより、本体部１の強度を維持しつつ、浮力を少なくして本体部１を水面すれすれに位置させ、これにより、本体部１の上面に水が乗り易くすることができるようになる。
【００４６】
また、前記本体部１の外周縁部に所定間隔のもとに半円状切欠部１２が複数形成されている構成としたため、洗浄水の排水時において水流を半円状切欠部１２受けることによって本体部１を水面に沿って回転させ易くすることができるようになり、これにより、本体部１に付着した便やペーパーを効率的に除去させることができるようになる。
また、前記本体部１が強度性および耐久性に優れたポリカーボネートで構成されることにより、本体部１の割れが防止され、これにより、割れた破片による排水口４の詰まりを防止することができるようになる。
【００４７】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００４８】
この実施例２の洋式水洗便器用跳ね水防止具は、請求項１〜７、９に記載の発明に対応する。
この実施例２は、前記実施例１における洋式水洗便器用跳ね水防止具の変形例を示すものであり、図７の平面図、図７のＣ−Ｃ線における縦断面図および図７のＤ−Ｄ線における縦断面図に示すように、本体部１がブロー成形等の金型成形により表裏２分割の中空状に形成されると共に、該表裏両分割体１３，１４の対向面で中心部に形成された貫通穴１１の外周を囲む状態で水中に溶け出す着色芳香剤等の機能剤５を収容する環状の空間１５が形成され、貫通穴１１の内周面に前記空間１５内に収容された機能剤５が貫通穴１１内に流出可能な開口部１６が形成されている点が前記実施例１とは相違したものである。
【００４９】
従って、この実施例２では、前記実施例１と同様の効果が得られる他、表裏対象形状を常に維持しつつ、機能剤１６を組み込むことが可能となる。
【００５０】
以上本実施例を説明してきたが、本発明は上述の実施例に限られるものではなく、本発明の要旨を逸脱しない範囲の設計変更等があっても、本発明に含まれる。
例えば、実施例では、本体部１の外表面が親水性を有するように加工されたが、撥水性を有するように加工してもよい。
【００５１】
また、実施例１では、本体部１をポリカーボネートの板材で形成したが、その他に独立気泡の発泡体で形成したり、ポリプロピレン、ポリエチレン、ナイロン等任意の樹脂により、ブロー成形や射出成形等の金型成形によって中空状に形成するようにしてもよい。
また、貫通穴１１の数や形状、切欠部１２の数や形状、および本体部１の厚みは任意である。
また、切欠部１２に替えて突出部を形成するようにしてもよい。
【００５２】
また、実施例２では、中空部を一体に形成したが、仕切りを設けることにより、複数の独立室に区画するようにしてもよい。
また、各独立室の１箇所に小孔を開けておくことにより、各独立室のポンピング作用により内部に水を吸引させて浮力の調整を行うようにしてもよい。
【００５３】
また、実施例２では、貫通穴１１の内周面に空間１５内に収容された機能剤５が貫通穴１１内に流出可能な開口部１６を環状に連続して形成したが、複数の穴により構成させるようにしてもよい。
また、実施例２では、本体部１を表裏２分割形成したが、一体成形し、機能剤５を開口部から注入するようにしてもよい。
また、前記機能材５としては、着色芳香剤の他に、消臭剤、防臭剤、殺菌剤等がある。
【図面の簡単な説明】
【００５４】
【図１】実施例１の洋式水洗便器用跳ね水防止具を示す平面図である。
【図２】実施例１の洋式水洗便器用跳ね水防止具を示す正面図である。
【図３】図１のＡ−Ａ線における縦断面図である。
【図４】図１のＢ−Ｂ線における縦断面図である。
【図５】実施例１の洋式水洗便器用跳ね水防止具の使用状態を示す平面図である。
【図６】図５における中央縦断面図である。
【図７】実施例２の洋式水洗便器用跳ね水防止具を示す平面図である。
【図８】図７のＣ−Ｃ線における縦断面図である。
【図９】図７のＤ−Ｄ線における縦断面図である。
【図１０】従来例の洋式水洗便器用跳ね水防止具を示す平面図である
【図１１】図１０のＥ−Ｅ線における縦断面図である。
【図１２】従来例の洋式水洗便器用跳ね水防止具の使用状態を示す斜視図である
【符号の説明】
【００５５】
１  本体部
１ａ  面取り状テーパー面
２  水洗便器
３  溜め水
４  排水口
５  機能剤
１１  貫通穴
１１ａ  面取り状テーパー面
１２  半円状切欠部
１２ａ  面取り状テーパー面
１３  表側分割体
１４  裏側分割体
１５  空間
１６  開口部
【図１】
2005248594.tif 000003
【図２】
2005248594.tif 000004
【図３】
2005248594.tif 000005
【図４】
2005248594.tif 000006
【図５】
2005248594.tif 000007
【図６】
2005248594.tif 000008
【図７】
2005248594.tif 000009
【図８】
2005248594.tif 000010
【図９】
2005248594.tif 000011
【図１０】
2005248594.tif 000012
【図１１】
2005248594.tif 000013
【図１２】
2005248594.tif 000014